【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
結合剤組成物の全重量の３〜６０重量％の第１のポリマーを含む、改良された結合剤組成物であって、
前記第１のポリマーが、次の（ａ）及び（ｂ）：
（ａ）前記第１のポリマーの総重量に基づいて１５〜８５重量％の第１のオリゴマー；
ここで、前記第１のオリゴマーは、前記第１のオリゴマーが、第１級アミン、第２級アミン、ヒドロキシル、又はそれらの任意の組合せから選択される反応性官能基を含有するような比率で反応された、次の（ｉ）及び（ｉｉ）の反応生成物を含む；
（ｉ）１．５未満のエポキシ官能価を有するエポキシ官能性シランを含む第１の成分；及び
（ｉｉ）１超のアミン官能価を有するモノマーを含む第２の成分；並びに
（ｂ）前記第１のポリマーの総重量に基づいて１５〜８５重量％の第２のオリゴマー；
ここで、前記第２のオリゴマーは、次の（ｉ）及び（ｉｉ）の反応生成物を含む；
（ｉ）１．９超の官能価を有する低分子量イソシアネートを含む第３の成分；及び
（ｉｉ）前記イソシアネートと反応しうる、活性水素（特に、単一の活性水素）を有するモノマーを含む第４の成分；
ここで、前記第２のオリゴマーが、反応性イソシアネート官能基を含み；そして
前記第１のポリマーは、遊離のイソイアネート官能基を実質的に欠いており；
前記結合剤組成物が、少なくとも３０秒間のオープンタイムを示す１液型組成物である；
の反応生成物を含む、前記改良された結合剤組成物。
【請求項２】
全結合剤組成物の最大５重量％のエチレンジアミンをさらに含む、請求項１に記載の結合剤組成物。
【請求項３】
全結合剤組成物の最大２５重量％の被膜形成樹脂をさらに含む、請求項１又は２に記載の結合剤組成物。
【請求項４】
全結合剤組成物の２０重量％未満の充填剤をさらに含む、請求項１〜３のいずれか一項に記載の結合剤組成物。
【請求項５】
前記充填剤がカーボンブラックである、請求項４に記載の結合剤組成物。
【請求項６】
前記カーボンブラックが、４〜６のｐＨを有する表面改質カーボンブラックである、請求項５に記載の結合剤組成物。
【請求項７】
全結合剤組成物の重量の最大８０重量％の溶媒をさらに含む、請求項１〜６のいずれか一項に記載の結合剤組成物。
【請求項８】
前記溶媒がメチルエチルケトンを含む、請求項７に記載の結合剤組成物。
【請求項９】
前記溶媒がアセテートを含む、請求項７又は８に記載の結合剤組成物。
【請求項１０】
前記アセテートが、３−メトキシ−ｎ−ブチルアセテートから本質的に成る、請求項９に記載の結合剤組成物。
【請求項１１】
前記被膜形成樹脂が、ポリアクリレート樹脂、エポキシ樹脂、ポリエステル樹脂（カルボン酸及びグリコールのポリマー）、ポリエステルコポリマー、ポリ塩化ビニル樹脂、塩素化ゴム、エチレンビニルアセテートコポリマー、ポリアクリレートコポリマー、又はそれらの任意の組合せから選択されるポリマーである、請求項２〜１０のいずれか一項に記載の結合剤組成物。
【請求項１２】
前記被膜形成樹脂が、ポリメチルメタクリレートから本質的に成る、請求項１１に記載の結合剤組成物。
【請求項１３】
前記第１の成分が、グリシドキシアルキルトリアルコキシシラン、β−（３，４−エポキシシクロヘキシル）エチルトリメトキシシラン、又はそれらの組合せから選択されるエポキシ官能性シランである、請求項１〜１２のいずれか一項に記載の結合剤組成物。
【請求項１４】
前記第２の成分が、ポリオールか、又はアルキルジアミン、アリールジアミン、アルコキシジアミン、アミン官能性アルコキシシラン及びそれらの組合せから成る群から選択されるアミン官能性モノマーから選択される、請求項１〜１３のいずれか一項に記載の結合剤組成物。
【請求項１５】
前記アミン官能性モノマーが、γ−アミノプロピルトリエトキシシラン、γ−アミノプロピルトリメトキシシラン、Ｎ−β−（アミノエチル）−γ−アミノプロピルトリメトキシシラン、トリアミノ官能性シラン、Ｎ−β−（アミノエチル）−γ−アミノプロピルメチルジメトキシシラン、又はそれらの任意の組合せから選択される、請求項１４に記載の結合剤組成物。
【請求項１６】
前記第３の成分が、トリメチルジイソシアナトヘキサン（ＴＭＤＩ）、ジフェニルメタンジイソシアネート（ＭＤＩ）、イソホレンジイソシアネート（ＩＰＤＩ）、ヘキサメチレンジイソシアネート（ＨＤＩ）、トルエンジイソシアネート（ＴＤＩ）、又はそれらの任意の組合せから選択される、請求項１〜１５のいずれか一項に記載の結合剤組成物。
【請求項１７】
前記第４の成分が、メルカプト−トリアルコキシ−シラン、アミノ−トリアルコキシシラン、又はそれらの組合せから選択される、請求項１〜１６のいずれか一項に記載の結合剤組成物。
【請求項１８】
前記第１の成分がγ−グリシドキシプロピルトリメトキシシランを含み、前記第２の成分がＮ−β−（アミノエチル）−γ−アミノプロピルトリメトキシシランを含み、前記第３の成分がＴＭＤＩを含み、そして前記第４の成分がメルカプトプロピルトリメトキシシランを含む、請求項１〜１７のいずれか一項に記載の結合剤組成物。
【請求項１９】
アクリルコポリマー被膜形成樹脂、カーボンブラック、エチレンジアミン及び溶媒を含む添加物を含む、請求項１８に記載の結合剤組成物。
【請求項２０】
少なくとも１時間のオープンタイムを有する、請求項１〜１９のいずれか一項に記載の結合剤組成物。
【請求項２１】
少なくとも１日のオープンタイムを有する、請求項１〜１９のいずれか一項に記載の結合剤組成物。
【請求項２２】
少なくとも１週間のオープンタイムを有する、請求項１〜１９のいずれか一項に記載の結合剤組成物。
【請求項２３】
少なくとも１ヶ月のオープンタイムを有する、請求項１〜１９のいずれか一項に記載の結合剤組成物。
【請求項２４】
３０秒間〜９０日間のオープンタイムを有する、請求項１〜１９のいずれか一項に記載の結合剤組成物。
【請求項２５】
前記エポキシ官能性シランが、１のエポキシ官能価を有する、請求項１〜２４のいずれか一項に記載の結合剤組成物。
【請求項２６】
次の（ａ）及び（ｂ）：
（ａ）エポキシ官能性シランとアミンとの反応生成物；
（ｂ）ｉ）イソシアネートと、ｉｉ）メルカプト−トリアルコキシ−シラン、アミノ−トリアルコキシシラン、又はそれらの組合せとの反応生成物；
の反応生成物を含む結合剤組成物であって、
少なくとも３０秒間のオープンタイムを示す１液型組成物である、
前記結合剤組成物。
【請求項２７】
次の（ａ）〜（ｃ）：
（ａ）エポキシ官能性シランとアミンとの反応生成物；
（ｂ）ｉ）イソシアネートと、ｉｉ）メルカプト−トリアルコキシ−シラン、アミノ−トリアルコキシシラン、又はそれらの組合せとの反応生成物；及び
（ｃ）全結合剤組成物の最大５重量％の（ポリ）アルキレンアミン；
の反応生成物を含む結合剤組成物であって、
少なくとも１週間のオープンタイムを示す１液型組成物である、
前記結合剤組成物。
【請求項２８】
次の（ａ）〜（ｃ）：
（ａ）エポキシ官能性シランと、アルキルジアミン、アリールジアミン、アルコキシジアミン、アミン官能性アルコキシシラン、及びそれらの任意の組合せから成る群から選択される成分との反応生成物；及び
（ｂ）ｉ）イソシアネートと、ｉｉ）メルカプト−トリアルコキシ−シラン、アミノ−トリアルコキシシラン、又はそれらの組合せとの反応生成物；並びに
（ｃ）全結合剤組成物の最大５重量％のエチレンジアミン；
の反応生成物を含む結合剤組成物であって、
少なくとも１週間のオープンタイムを示す１液型組成物である、
前記結合剤組成物。
【請求項２９】
次の（ａ）〜（ｃ）：
（ａ）グリシドキシアルキルトリアルコキシシラン、β−（３，４−エポキシシクロヘキシル）エチルトリメトキシシラン、又はそれらの組合せから選択されるエポキシ官能性シランと、アルキルジアミン、アリールジアミン、アルコキシジアミン、アミン官能性アルコキシシラン、及びそれらの組合せから成る群から選択される成分との反応生成物；及び
（ｂ）ｉ）イソシアネートと、ｉｉ）メルカプト−トリアルコキシ−シラン、アミノ−トリアルコキシシラン、又はそれらの組合せとの反応生成物；並びに
（ｃ）全結合剤組成物の最大５重量％のエチレンジアミン；
の反応生成物を含む結合剤組成物であって
少なくとも３０秒間のオープンタイムを示す１液型組成物である、
前記結合剤組成物。
【請求項３０】
次の（ａ）〜（ｄ）：
（ａ）グリシドキシアルキルトリアルコキシシラン、β−（３，４−エポキシシクロヘキシル）エチルトリメトキシシラン、又はそれらの組合せから選択されるエポキシ官能性シラン；
（ｂ）アルキルジアミン、アリールジアミン、アルコキシジアミン、アミン官能性アルコキシシラン、及びそれらの組合せから成る群から選択される成分；
（ｃ）メルカプト−トリアルコキシ−シラン、アミノ−トリアルコキシシラン、又はそれらの組合せ；及び
（ｄ）全結合剤組成物の最大５重量％のエチレンジアミン；
の反応生成物を含む結合剤組成物であって、
少なくとも３０秒間のオープンタイムを示す１液型組成物中に分散されている、
前記結合剤組成物。
【請求項３１】
請求項１〜３０のいずれか一項に記載の結合剤組成物を含む、結合された構造体。
【請求項３２】
次の各ステップを含む、ガラスパネルを車両構造体に結合する方法；
（ａ）請求項１〜３０のいずれか一項に記載の結合剤組成物を、ガラスパネルの一面の周囲に実質的に沿って適用するステップ；
（ｂ）前記結合剤組成物の上に、接着剤のビードを重ねるステップ：次いで
（ｃ）前記接着剤を、前記ガラスパネルを受け入れるための開口部を画定する車両構造体と接触させることにより、ガラスパネルを取り付けるステップ。
【請求項３３】
ステップ（ａ）及びステップ（ｂ）が、室温において、２０秒超且つ３ヶ月未満の期間により隔てられている、請求項３２に記載の方法。
【請求項３４】
ステップ（ａ）及びステップ（ｂ）が、室温において、１日超の期間により隔てられている、請求項３３に記載の方法。
【請求項３５】
ステップ（ａ）及びステップ（ｂ）が、室温において、１週間超の期間により隔てられている、請求項３４に記載の方法。
【請求項３６】
請求項３２〜３５のいずれか一項に記載の方法により製造された、結合された構造体。